(57)【要約】【課題】開口部を有する扉ユニットにおいて、開口部を大きく開けることができるようにした扉ユニット、及び該扉ユニットを備えたペット用サークルを提供する。【解決手段】扉ユニット１０は、フレーム１１と複数枚の引き戸１２，１３と固定フェンス１４とを備えている。フレーム１１は、縦方向の線材１０１と横方向の線材１０２とが枠状に組み立てられて開口面１５を有している。各引き戸１２，１３は、縦方向の線材１０１と横方向の線材１０２とが平面状に組み立てられ、横方向にスライドすることで開口面１５を開閉する。フレーム１１は、各引き戸１２，１３のスライドをガイドする横方向の固定ガイド線材１１２を有している。各引き戸１２，１３は、固定ガイド線材１１２に係合してスライドする固定ガイド線材用スライダ１２３，１３４を有している。一方の引き戸１２は、他方の引き戸１３のスライドをガイドする横方向の移動ガイド線材１２２を有している。【選択図】図１
2019205374.tif 000002
【特許請求の範囲】
【請求項１】
縦方向の線材と横方向の線材とが枠状に組み立てられて開口面を有するフレームと、
縦方向の線材と横方向の線材とが平面状に組み立てられ、横方向にスライドすることで前記開口面を開閉する複数枚の引き戸と、
を備え、
前記フレームは、前記引き戸のスライドをガイドする横方向の固定ガイド線材を有し、
前記引き戸は、前記固定ガイド線材に係合してスライドする固定ガイド線材用スライダを有し、
固定ガイド線材用スライダは、前記引き戸の縦方向の線材及び前記引き戸の横方向の線材の少なくともいずれか一方に固定されている、
扉ユニット。
【請求項２】
前記フレームは、縦方向の線材によって前記開口面の片側を塞ぐ固定フェンスを備え、
前記固定フェンスは、開扉された前記引き戸に重ねられる、
請求項１に記載の扉ユニット。
【請求項３】
前記複数枚の引き戸は、一方の引き戸及び他方の引き戸を含み、
前記一方の引き戸及び前記他方の引き戸は、前記固定ガイド線材用スライダを有し、
前記一方の引き戸は、前記他方の引き戸のスライドをガイドする横方向の移動ガイド線材を有し、
前記他方の引き戸は、前記移動ガイド線材に係合してスライドする移動ガイド線材用スライダを有し、
前記移動ガイド線材用スライダは、前記他方の引き戸の縦方向の線材及び前記他方の引き戸の横方向の線材の少なくともいずれか一方に固定されている、
請求項１又は２に記載の扉ユニット。
【請求項４】
一方の前記引き戸は、開扉時に前記固定フェンスの表面側に位置するようにする張出しバーを備え、
他方の前記引き戸は、開扉時に一方の前記引き戸の表面側に位置するようにする張出しバーを備えている、
請求項２又は３に記載の扉ユニット。
【請求項５】
前記引き戸の閉扉状態を維持するロック部材を備えている、
請求項１乃至４のうちいずれか１項に記載の扉ユニット。
【請求項６】
正面と背面と左右の側面とによって囲まれる内部空間内を設けたペット用サークルであって、
前記正面又は前記内部空間の上面は、請求項１乃至５のうちいずれか１項に記載の扉ユニットを備えている、
ペット用サークル。
【発明の詳細な説明】
【技術分野】
【０００１】
本発明は、犬や猫などのペットを入れる内部空間を備えたペット用サークル及びこのペット用サークルなどに好適に備えられる扉ユニットに関する。
【背景技術】
【０００２】
犬や猫などのペットを屋内のリビングルームなどで飼えるようにしたペット用サークルが種々提供されている。例えば、特許文献１には、ペット用サークルなどに備えられるペット用パネル体が記載されている。このペット用パネル体は、枠体とスライド式の１枚の扉を備えている。
【０００３】
枠体は、上桟と下桟と左右の縦桟とを備えている。左右の縦桟は、上桟と下桟の両端を連結する。上桟と下桟の中央と右の縦桟との間には、複数本の縦線材が格子状に配設されている。枠体の右側は非開口部とされ、枠体の左側は開口部とされている。扉は、上端部の横線材と、下端部の横線材と、両横線材間に連結された複数の縦線材と、を格子状に配設した構成とされている。
【０００４】
枠体の上部と下部には、横方向の線材からなる上ガイド部材と下ガイド部材が配設されている。上ガイド部材と下ガイド部材は、左右の縦桟間に架け渡されている。扉の上下左右の各角部には、摺動部材が取り付けられている。この摺動部材が上下のガイド部材に沿って左右方向にスライドすることで、扉が開口部を開閉する。
【先行技術文献】
【特許文献】
【０００５】
【特許文献１】特開２０１５−１３３９１８号公報
【発明の概要】
【発明が解決しようとする課題】
【０００６】
特許文献１に記載されたペット用パネル体は、扉をスライドさせ、枠体の左半分の開口部を最大限として開扉することができる。枠体の右半分は、非開口部で開扉することができない。ペット用パネル体を備えたペット用サークルは、開口部が枠体の半分以上に大きく開けられる方が掃除しやすい。そのため、開口部が大きく設けられ、扉が幅を狭くした複数枚で開閉するようにしてもよい。しかし、特許文献１に記載されたペット用パネル体では、扉に備えられた摺動部材が線材からなる上下のガイド部材に沿ってスライドするため、複数枚の扉によって開口部を開閉することができない。
【０００７】
本発明は、開口部を有する扉ユニットにおいて、開口部を大きく開けることができるようにした扉ユニット、及びこの扉ユニットを備えたペット用サークルを提供することを目的とする。
【課題を解決するための手段】
【０００８】
本発明に係る扉ユニットは、
縦方向の線材と横方向の線材とが枠状に組み立てられて開口面を有するフレームと、
縦方向の線材と横方向の線材とが平面状に組み立てられ、横方向にスライドすることで前記開口面を開閉する複数枚の引き戸と、
を備え、
前記フレームは、前記引き戸のスライドをガイドする横方向の固定ガイド線材を有し、
前記引き戸は、前記固定ガイド線材に係合してスライドする固定ガイド線材用スライダを有し、
固定ガイド線材用スライダは、前記引き戸の縦方向の線材及び前記引き戸の横方向の線材の少なくともいずれか一方に固定されている。
【０００９】
本発明の一態様の扉ユニットにおいて、
前記フレームは、縦方向の線材によって前記開口面の片側を塞ぐ固定フェンスを備え、
前記固定フェンスは、開扉された前記引き戸に重ねられる。
【００１０】
本発明の他態様の扉ユニットにおいて、
前記複数枚の引き戸は、一方の引き戸及び他方の引き戸を含み、
前記一方の引き戸及び前記他方の引き戸は、前記固定ガイド線材用スライダを有し、
前記一方の引き戸は、前記他方の引き戸のスライドをガイドする横方向の移動ガイド線材を有し、
前記他方の引き戸は、前記移動ガイド線材に係合してスライドする移動ガイド線材用スライダを有し、
前記移動ガイド線材用スライダは、前記他方の引き戸の縦方向の線材及び前記他方の引き戸の横方向の線材の少なくともいずれか一方に固定されている。
【００１１】
本発明の一態様又は他態様の扉ユニットにおいて、
一方の前記引き戸は、開扉時に前記固定フェンスの表面側に位置するようにする張出しバーを備え、
他方の前記引き戸は、開扉時に一方の前記引き戸の表面側に位置するようにする張出しバーを備えている。
【００１２】
本発明に係る扉ユニットの異なる態様は、
前記引き戸の閉扉状態を維持するロック部材を備えている。
【００１３】
本発明に係るペット用サークルは、
正面と背面と左右の側面とによって囲まれる内部空間内を設けたペット用サークルであって、
前記正面又は前記内部空間の上面は、本発明に係る扉ユニットを備えている。
【発明の効果】
【００１４】
本発明によれば、ペットを入れる内部空間を掃除しやすいようにしたペット用サークル及びこのペット用サークルに好適に備えられる扉ユニットを提供することができる。
【図面の簡単な説明】
【００１５】
【図１】本発明に係る扉ユニットを備えたペット用サークルの一実施形態であって、扉ユニットに備えられた引き戸が閉扉している状態を示す斜視図である。
【図２】本発明に係る扉ユニットの一実施形態であって、扉ユニットに備えられた引き戸が閉扉している状態を示す要部拡大斜視図である。
【図３】本発明に係る扉ユニットを備えたペット用サークルの一実施形態であって、扉ユニットに備えられた引き戸が途中まで開扉している状態を示す斜視図である。
【図４】本発明に係る扉ユニットの一実施形態であって、扉ユニットに備えられた引き戸が途中まで開扉している状態を示す要部拡大斜視図である。
【図５】本発明に係る扉ユニットを備えたペット用サークルの一実施形態であって、扉ユニットに備えられた引き戸が全開している状態を示す斜視図である。
【図６】本発明に係る扉ユニットの一実施形態であって、扉ユニットに備えられた引き戸が全開している状態を示す要部拡大斜視図である。
【図７】本発明に係る扉ユニットの一実施形態であって、扉ユニットに備えられた第２のロック部材を示す要部拡大斜視図である。
【図８】本発明に係る扉ユニットの一実施形態であって、閉扉時に扉ユニットに備えられた第１のロック部材が解錠された状態を示す要部拡大斜視図である。
【図９】本発明に係る扉ユニットの一実施形態であって、開扉時に扉ユニットに備えられた第１のロック部材が開扉状態を維持するようにした状態を示す要部拡大斜視図である。
【図１０】本発明に係る扉ユニットの変形実施形態であって、扉ユニットに備えられた引き戸が閉扉している状態を示す斜視図である。
【図１１】本発明に係る扉ユニットの変形実施形態であって、扉ユニットに備えられた引き戸が途中まで開扉している状態を示す斜視図である。
【発明を実施するための形態】
【００１６】
本発明に係るペット用サークル及び扉ユニットの一実施形態について図１乃至図９を参照して説明する。図１は、扉ユニットに備えられた引き戸が閉扉している状態を示す斜視図である。図２は、扉ユニットに備えられた引き戸が閉扉している状態を示す要部拡大斜視図である。図３は、扉ユニットに備えられた引き戸が途中まで開扉している状態を示す斜視図である。図４は、扉ユニットに備えられた引き戸が途中まで開扉している状態を示す要部拡大斜視図である。図５は、扉ユニットに備えられた引き戸が全開している状態を示す斜視図である。図６は、扉ユニットに備えられた引き戸が全開している状態を示す要部拡大斜視図である。図７は、扉ユニットに備えられた第２のロック部材を示す要部拡大斜視図である。図８、閉扉時に扉ユニットに備えられた第１のロック部材が解錠された状態を示す要部拡大斜視図である。図９は、開扉時に扉ユニットに備えられた第１のロック部材が開扉状態を維持するようにした状態を示す要部拡大斜視図である。
【００１７】
図１、図３、図５に示すように、ペット用サークルは、内部空間Ｓを設ける周壁パネル１を備えている。ペット用サークルは、リビングルームなどに設置される。周壁パネル１は、正面の扉ユニット１０と、背面パネル２０と、左右の側面パネル３１，３２とを備えている。扉ユニット１０の各側縁と側面パネル３１，３２の一方の側縁とが隣接し、ジョイント４１などによって連結される。背面パネル２０の各側縁と側面パネル３１，３２の他方の側縁とが隣接し、ジョイント４１によって連結される。
【００１８】
周壁パネル１の上面は、パネルによって囲われない開放面（採番せず）とされる。周壁パネル１は、リビングルームのフロア上に置かれたトレー２上に設置される。トレー２は、四角形状の平坦な底板部２ａと、底板部２ａの外周縁から上向きに突出した枠状部２ｂと、枠状部２ｂの上縁から外向きに突出した鍔部２ｃとを一体成型した形状とされている。
【００１９】
扉ユニット１０は、フレーム１１と、複数枚（この実施形態では２枚）の引き戸１２，１３と、固定フェンス１４とを備えている。フレーム１１は、縦方向（起立姿勢）の線材（番線）１０１と、横方向（水平姿勢）の線材（番線）１０２とによって枠状に組み立てられ、一方側（図面では左側）に開口面１５を有している。横方向の線材１０２は、左右の縦方向の線材１０１の上端と下端とに２本ずつ架設される。内側の各１本の線材１０２は、２枚の引き戸１２，１３のスライドをガイドする固定ガイド線材１１２とされる。下側の固定ガイド線材１１２は、トレー２の枠状部２ｂの上縁及び鍔部２ｃよりも上側に位置する。
【００２０】
２枚の引き戸１２，１３は、幅（左右）方向にスライドして開口面１５を開閉する。固定フェンス１４は、フレーム１１の他方側（図面では右側）を塞ぐ。固定フェンス１４は、縦方向（起立姿勢）の線材（番線）１０１と横方向（水平姿勢）の線材（番線）１０２とによって格子状に組み立てられている。固定フェンス１４によって、フレーム１１は、保形性が向上する。なお、固定フェンス１４は、横方向の線材１０２を有さず、縦方向の線材１０１がフレーム１１の上下の横方向の線材１０２に架設されるだけとしてもよい。
【００２１】
開口面１５は、固定フェンス１４の２倍程度に大きく設けられている。２枚の引き戸１２，１３は、縦方向（起立姿勢）の線材（番線）１０１と横方向（水平姿勢）の線材（番線）１０２とによって格子状に組み立てられている。
【００２２】
一方の引き戸（以下、「第１の引き戸」という。）１２は、図面においてフレーム１１の左右方向の中間位置と固定フェンス１４との間を左右方向にスライドし、他方の引き戸（以下、「第２の引き戸」という。）１３と協働して開口面１５を開閉する。開扉した第１の引き戸１２は、固定フェンス１４の表面側に重なるようにするため、左右両端の縦方向の線材１０１が手前に突出した張出しバー１２１とされている。第１の引き戸１２の上下の各１本の横方向の線材１２２は、第２の引き戸１３のスライドをガイドする移動ガイド線材１２２とされる。
【００２３】
第１の引き戸１２は、複数の固定ガイド線材用スライダ（以下、「第１のスライダ」という。）１２３を左右の縦方向の線材１２１である張出しバー１２１の上下両端部に固定している。第１のスライダ１２３は、第１の引き戸１２の上下左右の四つの角部に備えられる。第１のスライダ１２３は、固定ガイド線材１１２に係合し、第１の引き戸１２がスムーズにスライドするようにガイドする。第１のスライダ１２３には、固定ガイド線材１１２が挿通する孔（採番せず）が形成されている。
【００２４】
第２の引き戸１３は、図面においてフレーム１１の左側と固定フェンス１４との間を左右方向にスライドし、第１の引き戸１２と協働して開口面１５を開閉する。開扉した第２の引き戸１３が第１の引き戸１２の表面側に重なるようにするため、両端の縦方向の線材１３１が張出しバー１３２とされている。閉扉した第２の引き戸１３の一端（以下、図面に即して「右端」として説明する。）側の縦方向の線材５である張出しバー１３２は、閉扉している第１の引き戸１２の他端（図面に即して「左端」として説明する。）側に重なるように位置する。
【００２５】
第２の引き戸１３は、移動ガイド線材用スライダ（以下、「第２のスライダ」という。）１３３を右端の縦方向の線材１３１である張出しバー１３２に固定し、固定ガイド線材用スライダ（以下、「第３のスライダ」という。）１３４を左端の縦方向の線材１０２である張出しバー１３２に固定している。
【００２６】
第２のスライダ１３３は、移動ガイド線材１２２に係合する。第２のスライダ１３３には、移動ガイド線材１２２が挿通する孔（採番せず）が形成されている。第３のスライダ１３４は、固定ガイド線材１１２に係合する。第３のスライダ１３４には、固定ガイド線材１１２が挿通する孔（採番せず）が形成されている。第２のスライダ１３３と第３のスライダ１３４によって第２の引き戸１３がスムーズにスライドするようにガイドする。
【００２７】
扉ユニット１０は、第１のロック部材１６と第２のロック部材１７とを備えている。図８及び図９に示すように、第１のロック部材１６は、本体部１６１と、昇降部１６２と、受部１６３とを備えている。
【００２８】
第１のロック部材１６の本体部１６１は、第２の引き戸１３の左端部上寄りに固定されている。本体部１６１は、昇降部１６２に連結された摘み部１６１ａを備えている。昇降部１６２は、１本の線材を上端部で折り返し、２本の平行な線材に見えるような形状とされている。昇降部１６２の上端部は、フック部１６２ａとされている。昇降部１６２の下端部は、本体部１６１内で摘み部１６１ａに連結されている。
【００２９】
受部１６３は、フレーム１１の上側の横方向の線材１１２の２か所に設けられ、フック部１６２ａを掛止するように正面側に突出している。すなわち、受部１６３は、第２の引き戸１３が閉扉したときに、第１のロック部材１６のフック部１６２ａを掛止する位置（以下、「閉扉側位置」という。）と、第２の引き戸１３が開扉したときに、第１のロック部材１６のフック部１６２ａを掛止する位置（以下、「開扉側位置」という。）とに設けられる。
【００３０】
昇降部１６２は、通常、下降して、フック部１６２ａが受部１６３に引っ掛けられ、閉扉位置において開扉できない施錠状態となり、開扉位置において閉扉できない状態となる。図８に示すように、ユーザが摘み部１６１ａを持ち上げるようにすることで、昇降部１６２が上昇し、フック部１６２ａが受部１６３から外れ、解錠状態となる。なお、図示しないが、昇降部１６２が上昇したときに、昇降部１６２の折り返した上端部がフレーム１１から突出しないように受部１６３が設けられてもよい。
【００３１】
第２のロック部材１７は、第２の引き戸１３の左端部下寄りに回動自在に取り付けられた変形板状部材であり、弾性変形する。図７に示すように、第２のロック部材１７の基端部１７１は、第２の引き戸１３の縦方向の線材１０１に回動自在に巻き付いている。第２のロック部材１７の先端部１７２は、フレーム１１の縦方向の線材１０１に引っ掛けられ、施錠した状態と、フレーム１１の縦方向の線材１０１から外れて解錠した状態とに係脱する。第２のロック部材１７の先端部１７２は、フレーム１１の線材１０１から外しやすいようにするため、指掛け部１７２ａを備えている。
【００３２】
背面パネル２０、左右の側面パネル３１，３２は、縦方向（起立姿勢）で並べられた多数本の線材（番線）１０１と、横方向（水平姿勢）で上中下の位置に並べられた線材（番線）１０２とによって格子状に組み立てられている。正面の扉ユニット１０と左右の側面パネル３１とは、平面視で直角方向に衝合する。背面パネル２０と左右側の側面パネル３１，３２とは、平面視で直角方向に衝合する。それぞれ衝合している部位は、ジョイント４１や角ロック４２によって連結され、周壁パネル１が組み立てられる。この実施形態では、周壁パネル１がペット用サークルとなる。
【００３３】
周壁パネル１は、トレー２上に置かれる。図１、図３、図５に示すように、周壁パネル１の左右の側面パネル３１，３２の横向きの線材１０２と、トレー２の鍔部２ｃとは、固定部材３によって連結される。固定部材３は、側面パネル３１，３２の横方向の下側の線材１０２に巻き付くターン部３ａと、トレー２の鍔部２ｃに引っ掛かる爪部３ｂとを有し、弾性変形することで、爪部３ｂがトレー２の鍔部に着脱する。
【００３４】
ここで、ペット用サークルの周壁パネル１をトレー２上に置いて使用する態様について説明する。ペット用サークルは、例えば、リビングルームなどに設置される。ペットを周壁パネル１内の内部空間Ｓ内に入れたり、内部空間Ｓ内のペットを出したりするため、さらに、トレー２上にペット用食器（図示せず）を置いたり出したりするときは、第２の引き戸１３が開閉される。
【００３５】
図１及び図２に示すように、扉ユニット１０の開口面１５が第１の引き戸１２と第２の引き戸１３とによって閉扉された状態から開扉するには、まず、第２のロック部材１７の先端部１７２をフレーム１１の縦方向の線材１０１から外し解錠する。そして、ユーザが第１のロック部材１６の摘み部１６１ａを上げることで、昇降部１６２のフック部１６２ａを閉扉側位置の受部１６３から外し、解錠する。
【００３６】
図３及び図４に示すように、解錠された第２の引き戸１３は、第１の引き戸１２の方向（図面において右方向）にスライドさせることで、開口面１５を半開とする。このとき、第２の引き戸１３の第２のスライダ１３３が第１の引き戸１２の移動ガイド線１１２ａに係合し、第２の引き戸１３の第３のスライダ１３４が固定ガイド線材１１２に係合することで、第２の引き戸１３は、第１の引き戸１２に重なりつつスムーズに移動する。第２の引き戸１３が第１の引き戸１２の表面側に完全に重なるまで移動すると、開口面１５は半開きになる。第２の引き戸１２は、張出しバー１３２によって、第１の引き戸１２に干渉しないように開扉する。この半開きの開口面１５からペットが内部空間Ｓ内に入ったり出たりすることができる。
【００３７】
ペットが内部空間Ｓ内に入れられたままとするときは、第２の引き戸１３を図面において左方向にスライドして閉扉する。第２のスライダ１３３が移動ガイド線１１２ａに係合し、第３のスライダ１３４が固定ガイド線材１１２に係合することで、第２の引き戸１３は、スムーズにスライドし、閉扉される。閉扉された第２の引き戸１３は、第１のロック部材１６と第２のロック部材１７が施錠されることで、開錠されない限り、開扉できないようにすることができる。
【００３８】
トレー２を掃除するときは、閉扉されている第２の引き戸１３と第１の引き戸１２とを固定フェンス１４の方へスライドさせ、開口面１５を全開する。そのため、まず、開口面１５を半開きしたときのように、第２の引き戸１３をスライドさせ、第１の引き戸１２に重ねる。このとき、第２の引き戸１３の第２のスライダ１３３が右端に移動し、第１の引き戸１２の第１のスライダ１２３に近接する。
【００３９】
重なった状態の第１の引き戸１２と第２の引き戸１３は、続いて一体的に図面において右方向にスライドする。図５及び図６に示すように、第１の引き戸１２と第２の引き戸１３が固定フェンス１４に重なると、全開した状態となる。第１の引き戸１２は、張出しバー１２１によって固定フェンス１４に干渉しないように開扉する。このとき、第１の引き戸１２の第１のスライダ１２３は、固定ガイド線材１１２の右端に移動する。同時に、第２の引き戸１３の第２のスライダ１３３は、移動ガイド線材１２２の右端に移動する。
【００４０】
第２の引き戸１３の第３のスライダ１３４は、固定フェンス１４の左側に位置する。図９に示すように、第２の引き戸１３に備えられた第１のロック部材１６のフック部１６２ａが開扉側位置の受部１６３に掛止することで、第１の引き戸１２及び第２の引き戸１３は、全開した状態を維持する。
【００４１】
このようにして第１の引き戸１２と第２の引き戸１３がスライドし、開口面１５が全開することにより、扉ユニット１０は、幅方向の３分の２程度が開扉した状態となる。したがって、ユーザは、内部空間Ｓ内に入りやすくなり、内部空間Ｓ内を掃除しやすくなる。
【００４２】
閉扉するには、第１のロック部材１６のフック部１６２ａを開扉側位置の受部１６３から外し、第２の引き戸１３を図面において左方向にスライドさせる。第２の引き戸１３の第２のスライダ１３３が第１の引き戸１２の左端の張出しバー１２１に当たることで、第２の引き戸１３が第１の引き戸１２を引っ張る状態となり、第１の引き戸１２が左方向にスライドする。
【００４３】
そして、第１のロック部材１６の摘み部１６１ａが持ち上げられることで、フック部１６２ａが上昇し、第２の引き戸１３が完全に閉扉される。第１のロック部材１６の摘み部１６１ａが下げられることで、フック部１６２ａが閉扉側位置の受部１６３内に入り、施錠される。さらに、第２のロック部材１７の先端部１７２がフレーム１１の縦方向の線材１０１に引っ掛けられることで、第２のロック部材１７が施錠される。
【００４４】
以上、本発明の一実施形態について説明したが、本発明は、上述の実施形態に限定されるものではなく、本発明の目的を達成できる範囲での変形改良等（変形実施形態）は本発明に含まれるものである。
【００４５】
図１０及び図１１に示すように、例えば、扉ユニット１０の変形実施形態は、ペット用サークルの上面に備えられる。図１０は、本発明に係るペット用サークルの変形実施形態であって、扉ユニット１０に備えられた引き戸１２，１３が閉扉している状態を示す斜視図である。図１１は、本発明に係るペット用サークルの変形実施形態であって、扉ユニット１０に備えられた引き戸１２，１３が途中まで開扉している状態を示す斜視図である。
【００４６】
変形実施形態の扉ユニット１０は、ペット用サークルに備えられた周壁パネル１の上面に設けられた開放面を覆う。換言すれば、変形実施形態のペット用サークルは、内部空間Ｓの上面を覆うような扉ユニット１０を備えている。
【００４７】
変形実施形態の扉ユニット１０は、線材（番線）１０１，１０２を水平姿勢にして組み立てられる以外、前記実施形態と同様に構成されている。すなわち、変形実施形態の扉ユニット１０は、フレーム１１と、第１、第２の引き戸１２，１３と、固定フェンス１４とを備えている。フレーム１１は、開口面１５を設けるように枠状に組み立てられている。第１、第２の引き戸１２，１３は、スライドして開口面１５を開閉する。固定フェンス１４は、開口面１５の片側を塞ぐように組み立てられている。
【００４８】
フレーム１１は、水平姿勢の２本の固定ガイド線材１１２を備えている。第１の引き戸１２は、水平姿勢の移動ガイド線材１２２を備えている。第１の引き戸１２は、固定ガイド線材１１２に係合する第１のスライダ１２３を備えている。第２の引き戸１３は、第１のロック部材１６と第２のロック部材１７を備えている。第２の引き戸１３は、移動ガイド線材１２２に係合する第２のスライダ１３３と、固体ガイド線材１１２ａに係合する第３のスライダ１３４を備えている。フレーム１１は、周壁パネル１の上端縁上にジョイント（図示せず）によって連結される。
【００４９】
周壁パネル１は、図示しないが、正面パネルと、背面パネルと、左右の側面パネルとを備え、トレー上に設置される。図示しない正面パネルは、開口部を有し、この開口部を開閉する開閉戸を備えている。開閉戸は、前記実施形態と同様、第１の引き戸と第２の引き戸を備えてもよいし、１枚の引き戸又は開き戸であってもよい。背面パネルと、左右の側面パネルは、前記実施形態と同様に線材によって格子状に構成されている。
【００５０】
このような変形実施形態のペット用サークルは、普段、扉ユニットの両引き戸が閉じられ、内部空間Ｓ内にペットを出し入れするために正面パネルの開閉戸が開閉される。トレー上を掃除するときは、上面を覆う扉ユニット１０の第１の引き戸１２と第２の引き戸１３をスライドすることで、開口面１５を全開する。したがって、変形実施形態のペット用サークルは、上面が扉ユニットによって覆われていても、トレー上を掃除しやすいものとなる。
【００５１】
しかも、スライドする第１の引き戸１２と第２の引き戸１３は、開き戸のようにターンしないため、ペット用サークルは、壁面に近接して設置することができる。すなわち、開き戸は、真上を向いた鉛直姿勢から少しでも鈍角に傾斜した姿勢で開扉したほうが内部空間Ｓを掃除しやすい。したがって、ターンするように開扉する開き戸を備えたペット用サークルは、壁から離して設置しなければならず、設置されるリビングルームを実質的に狭くしてしまう。しかし、この変形実施形態のような引き戸１２，１３を備えたペット用サークルは、壁に密着するように設置することができるため、設置されるリビングルームを実質的に狭くすることがない。
【００５２】
次に、図示しない変形実施形態について説明する。前記実施形態では、第１の引き戸と第２の引き戸とを備えた。しかし、引き戸は、３枚以上備えてもよい。また、前記実施形態の扉ユニットは、固定フェンスを備えた。しかし、扉ユニットは、固定フェンスを備えず、３枚以上の引き戸を備えてもよい。
【００５３】
さらに、前記実施形態のペット用サークルは、内部空間Ｓを基本的に居住空間とした。しかし、内部空間Ｓ内は、広めの居住スペースと狭めのトイレスペースとが隣り合うように設けられてもよい。図示した内部空間Ｓは、正面から見て左側に居住スペースが配置され、右側にトイレスペースが配置される。トレーは、居住スペースとトイレスペースとを仕切る凸条のような仕切部（図示せず）を設けた１枚で構成してもよいし、別体で構成してもよい。あるいは、トレー内の右側に小型のトイレ用トレー（図示せず）を置くことで、トイレスペースを設けてもよい。さらに、居住スペースとトイレスペースとは、内部空間を仕切パネル（図示せず）によって仕切ることで設けられてもよい。
【００５４】
前記の実施形態の扉ユニット１０は、第１のロック部材１６と第２のロック部材１７とを備えた。しかし、扉ユニット１０は、いずれかのロック部材１６，１７のみ備えるようにしてもよいし、いずれのロック部材１６、１７も備えないようにしてもよい。
【００５５】
さらに、前記実施形態では、扉ユニットがペット用サークルに好適に備えられるとした。しかし、扉ユニットは、ペット用サークル以外に適用することができる。
【００５６】
以上まとめると、本発明が適用される扉ユニット及びペット用サークルは、次のような構成を取れば足り、各種各様な実施形態をとることができる。
【００５７】
すなわち、本発明に係る扉ユニット１０は、
縦方向の線材１０１と横方向の線材１０２とが枠状に組み立てられて開口面１５を有するフレーム１１と、
縦方向の線材１０１と横方向の線材１０２とが平面状に組み立てられ、横方向にスライドすることで前記開口面１５を開閉する複数枚の引き戸１２，１３と、
を備え、
前記フレーム１１は、前記引き戸１２，１３のスライドをガイドする横方向の固定ガイド線材１１２を有し、
前記引き戸１２，１３は、前記固定ガイド線材１１２に係合してスライドする固定ガイド線材用スライダ１２３，１３４を有し、
固定ガイド線材用スライダ１２３，１３５は、前記引き戸１２，１３の縦方向の線材１０１及び前記引き戸１２，１３の横方向の線材１０２の少なくともいずれか一方に固定されている。
【００５８】
この扉ユニット１０は、複数枚の引き戸１２，１３を備えることにより、引き戸１２，１３が重なるように開扉したときに、開口面１５を大きく広げることができる。引き戸は、固定ガイド線材１１２に係合してスライドする固定ガイド線材用スライダ１２３，１３４を固定していることにより、引き戸１２，１３をスムーズにスライドして開口面１５を開閉することができる。
【００５９】
本発明に係る扉ユニット１０の一態様として、
前記フレーム１１は、縦方向の線材１０１によって前記開口面１５の片側を塞ぐ固定フェンス１４を備え、
前記固定フェンス１４は、開扉された前記引き戸１２，１３に重ねられる。
【００６０】
この扉ユニット１０は、固定フェンス１４を備えることにより、保形性を向上することができる。開扉した引き戸は、固定フェンス１４に重なる状態となる。
【００６１】
本発明に係る扉ユニット１０の他態様として、
前記複数枚の引き戸１２，１３は、一方の引き戸１２及び他方の引き戸１３を含み、
前記一方の引き戸１２及び前記他方の引き戸１３は、前記固定ガイド線材用スライダ１２３，１３４を有し、
前記一方の引き戸１２は、前記他方の引き戸１３のスライドをガイドする横方向の移動ガイド線材１２２を有し、
前記他方の引き戸１３は、前記移動ガイド線材１２２に係合してスライドする移動ガイド線材用スライダ１３３を有し、
前記移動ガイド線材用スライダ１３３は、前記他方の引き戸１３の縦方向の線材１０１及び前記他方の引き戸１３の横方向の線材１０２の少なくともいずれか一方に固定されている。
【００６２】
この扉ユニット１０は、一方の引き戸１２の固定ガイド線材用スライダ１２３が固定ガイド線材１１２に係合することでスムーズに開閉し、他方の引き戸１３移動ガイド線材用スライダ１３３が移動ガイド線材１２２に係合し、他方の引き戸１３の固定ガイド線材用スライダ１３５が固定ガイド線材に係合することでスムーズに開扉する。
【００６３】
本発明に係る扉ユニット１０の一態様又は他態様において、
一方の前記引き戸１２は、開扉時に前記固定フェンス１４の表面側に位置するようにする張出しバー１２１を備え、
他方の前記引き戸は、開扉時に一方の前記引き戸１２の表面側に位置するようにする張出しバー１３２を備えている。
【００６４】
この扉ユニット１０は、張出しバー１２１，１３２を備えることにより、一方の引き戸１２が固定フェンス１４に干渉しないように開閉し、他方の引き戸１３が一方の引き戸１２に干渉しないように開閉することができる。
【００６５】
本発明に係る扉ユニット１０のさらに異なる他態様は、
前記引き戸１２，１３の閉扉状態を維持するロック部材１６，１７を備えている。
【００６６】
この扉ユニット１０は、ロック部材１６，１７を備えていることにより、引き戸が必要なときのみ開扉し、ひとりでに開扉しないようにできる。
【００６７】
本発明に係るペット用サークルは、
正面と背面と左右の側面とによって囲まれる内部空間Ｓ内を設けたペット用サークルであって、
前記正面又は前記内部空間Ｓの上面は、本発明に係るいずれかの扉ユニット１０を備えている。
【００６８】
本発明に係るペット用サークルは、開口面１５を設けた扉ユニット１０を備え、扉ユニット１０が複数枚の引き戸１２，１３を備えていることにより、引き戸１２，１３を全開したときに、開口面１５を大きく開けて、ペット用サークル内を掃除しやすくすることができる。
【符号の説明】
【００６９】
１…周壁パネル
１０…扉ユニット
１１…フレーム
１０１…縦方向の線材
１０２…横方向の線材
１１２…固定ガイド線材
１２…一方の引き戸（第１の引き戸）
１２１…張出しバー
１２２…移動ガイド線材
１２３…固定ガイド線材用スライダ（第１のスライダ）
１３…他方の引き戸（第２の引き戸）
１３２…張出しバー
１３３…移動ガイド線材用スライダ（第２のスライダ）
１３４…固定ガイド線材用スライダ（第３のスライダ）
１４…固定フェンス
１５…開口面
１６…ロック部材（第１のロック部材）
１７…ロック部材（第２のロック部材）
２…トレー
Ｓ…内部空間
【図１】
2019205374.tif 000003
【図２】
2019205374.tif 000004
【図３】
2019205374.tif 000005
【図４】
2019205374.tif 000006
【図５】
2019205374.tif 000007
【図６】
2019205374.tif 000008
【図７】
2019205374.tif 000009
【図８】
2019205374.tif 000010
【図９】
2019205374.tif 000011
【図１０】
2019205374.tif 000012
【図１１】
2019205374.tif 000013